(57)【特許請求の範囲】
【請求項１】
建付け用開口部の縦辺部位内周に固定されるドア枠の内側面にドア本体の吊元側端部が蝶番を介して回動可能に取り付けられる開き戸において、
前記ドア枠の内側面が化粧部材にて被覆されていると共に、
前記ドア枠の内側面に嵌着して取り付けられる戸当たり部材とは別に、前記ドア枠の内側面の前後方向の略中間に、蝶番位置決め用リブが上下方向に長寸をなすように突設されており、
前記ドア本体の吊元側端部に前記蝶番の一方蝶片が固定されると共に、
これと対向する前記ドア枠の内側面の任意の高さ位置に、前記蝶番の他方蝶片が、前記蝶番位置決め用リブの前後方向において前記蝶番を取り付ける側である手前側の側面に前記他方蝶片の後端縁を当接して前後方向に位置決めされた状態で、前記化粧部材の上に固着具にて固着されてなり、
前記蝶番位置決め用リブが、前記蝶番取付時に、前記他方蝶片を前記ドア枠の前後方向に対して位置決めすると共に、前記他方蝶片を前記ドア枠の上下方向にスライドガイドし、
前記他方蝶片の表面が、前記蝶番位置決め用リブの先端面と略面一となるように構成されていることを特徴とする開き戸。
【請求項２】
前記ドア枠の上下いずれかの端部に、建付け用開口部の開口高さに合わせて切断除去可能な切断除去部を設けたことを特徴とする請求項１記載の開き戸。
【発明の詳細な説明】
【技術分野】
【０００１】
本発明は、部屋の出入口に設ける開き戸に関し、詳しくはドア本体に合わせてドア枠への蝶番の取り付けを行なえるようにした開き戸に関するものである。
【背景技術】
【０００２】
従来から、建付け用開口部の縦辺部位内周に固定されるドア枠の内側面の所定高さ位置に蝶番を収容固定するための凹部を形成し、ドア本体に蝶番の一方蝶片を固定し、他方蝶片をドア枠の凹部に取り付けるようにした開き戸が知られている。（例えば、特許文献１参照）
ところで、現場によっては標準品のドア本体を施工できないことがあり、この場合、標準サイズ以外の規格外のドア本体を取り付けることになるが、規格外のドア本体においては蝶番の高さがドア枠に設けられた凹部の位置と相違してしまい、蝶番の取り付けができなくなるという問題がある。特にリフォーム時には、建付け用開口部の開口高さに合わせてドア枠の上下寸法が異なることがあり、このような場合、ドア枠における蝶番の取り付け高さが標準位置からずれてしまうことになり、そのため現場でドア本体の蝶番の高さ位置に合わせてドア枠に凹部を形成し直す必要が生じてしまい、このような作業は極めて困難で手間を要するという問題があった。
【特許文献１】実開平５−４２５７８号公報
【発明の開示】
【発明が解決しようとする課題】
【０００３】
本発明は前記の従来の問題点に鑑みて発明したものであって、ドア枠の内側面の任意の高さ位置で蝶番の前後方向の位置決め機能を持たせることにより、簡単な構造で蝶番の高さ変化に対応できるようにした開き戸を提供することを課題とするものである。
【課題を解決するための手段】
【０００４】
前記課題を解決するために本発明は、建付け用開口部１の縦辺部位内周１ａに固定されるドア枠２の内側面２ａにドア本体１０の吊元側端部が蝶番２０を介して回動可能に取り付けられる開き戸において、前記ドア枠２の内側面２ａが化粧部材６にて被覆されていると共に、前記ドア枠２の内側面２ａに嵌着して取り付けられる戸当たり部材４４とは別に、前記ドア枠２の内側面２ａの前後方向Ｂの略中間に、蝶番位置決め用リブ４が上下方向Ｄに長寸をなすように突設されており、前記ドア本体１０の吊元側端部に前記蝶番２０の一方蝶片２１が固定されると共に、これと対向する前記ドア枠２の内側面２ａの任意の高さ位置に、前記蝶番２０の他方蝶片２２が、前記蝶番位置決め用リブ４の前後方向Ｂにおいて前記蝶番２０を取り付ける側である手前側の側面に前記他方蝶片２２の後端縁を当接して前後方向Ｂに位置決めされた状態で、前記化粧部材６の上に固着具２５にて固着されてなり、前記蝶番位置決め用リブ４が、前記蝶番２０取付時に、前記他方蝶片２２を前記ドア枠２の前後方向Ｂに対して位置決めすると共に、前記他方蝶片２２を前記ドア枠２の上下方向Ｄにスライドガイドし、前記他方蝶片２２の表面が、前記蝶番位置決め用リブ４の先端面４ａと略面一となるように構成されていることを特徴としている。
【０００５】
このような構成とすることで、ドア枠２の内側面２ａに蝶番２０の他方蝶片２２を取り付ける際に、上下方向Ｄに長寸をなす蝶番位置決め用リブ４を利用して他方蝶片２２を任意の高さ位置で前後方向に位置決めする作業が簡単に行なえるようになり、簡単な構造で蝶番２０の高さ変化に対応できるようになる。
【０００６】
また、他方蝶片２２と化粧部材６と蝶番位置決め用リブ４との外観上の納まりが良好となり、ドア枠２の外観向上を一層図ることができる。
【０００７】
また、前記ドア枠２の上下いずれかの端部に、建付け用開口部１の開口高さＥに合わせて切断除去可能な切断除去部７を設けるのが好ましく、この場合、１種類のドア枠２で、建付け用開口部１の異なる開口高さＥに対応できるようになるので、ドア枠２の共通使用が可能となり、規格サイズ以外のドア枠２を複数種類準備する必要がなく、部品コストの削減及び在庫管理の簡素化を図ることができる。
【発明の効果】
【０００８】
本発明は、ドア枠の内側面に蝶番位置決め用リブを上下方向に長寸をなすように突設したことにより、この蝶番位置決め用リブを利用してドア枠の内側面の任意の高さ位置で蝶番の前後方向の位置決めが行なえるものであり、従来のようなドア枠の内側面に凹部を形成し直したりすることなく、簡単な構造で蝶番の高さ変化に対応できる効果が得られる。
【発明を実施するための最良の形態】
【０００９】
以下、本発明を添付図面に示す実施形態に基いて説明する。
【００１０】
図３は本実施形態の開き戸３の一例を示しており、建付け用開口部１の左右の縦辺部位内周１ａに固定される一対のドア枠２のうち、蝶番２０側のドア枠２の内側面２ａにドア本体１０の吊元側端部が蝶番２０を介して回動可能に取り付けられ、ラッチ側のドア枠２の内側面２ａに凹所５を設けてラッチ受具３１を収容し、ドア本体１０の戸先側端部に装着されたラッチボルト３０をラッチ受具３１に対して係脱可能としたものである。
【００１１】
前記建付け用開口部１は両側の柱体４０の上部間に梁枠体４１が架設されて形成されており、両側の柱体４０の下端部間には見切り部材４２が設けられている。ここでは、柱体４０、梁枠体４１、見切り部材４２は木材で形成されているが、金属製の型材等で形成されていてもよい。
【００１２】
建付け用開口部１の両側の縦辺部位内周１ａ（柱体４０の内周側面）には、蝶番２０側のドア枠２とラッチ側のドア枠２とがそれぞれ固定され、梁枠体４１の内周下面には上枠体４３が固定されている。なお図３中の４４は、ドア枠２の内側面２ａに嵌着した戸当たり部材であり、図３中の二点鎖線はドア本体１０を示している。
【００１３】
また、ドア枠２は、図５に示すように、全体として帯板状で、ここでは木質芯材８の外周に化粧部材６（６Ａ）を巻着して構成されている。木質芯材８は例えば、合板やＭＤＦ等からなり、化粧部材６（６Ａ）は例えば突板貼り合板や化粧シート貼り合板等からなり、化粧部材６（６Ａ）のその裏面に施されたＶ溝カット加工に沿って折曲されることで木質芯材８の外周に巻着されている。さらに化粧部材６の表面角部分は面取り加工されている。
【００１４】
さらに前記ドア枠２の下部（上部でも可能）には、建付け用開口部１の開口高さＥに合わせて切断除去可能な切断除去部７（図３の仮想線）が設けられており、建付け用開口部１の異なる開口高さＥに対応できるようにしている。この切断除去部７は、どの部位からでも現場で容易に切断できるものであり、建付け用開口部１の開口高さＥに合わせてドア枠２の上下寸法を任意に調整できるものである。なおドア枠２の巾は例えば、６００〜９００ｍｍ、上下寸法が１７９０〜２１００ｍｍとされる。
【００１５】
先ず、蝶番２０側のドア枠２を説明する。図１に示すように、蝶番２０側のドア枠２の内側面２ａには、蝶番２０をドア枠２の前後方向Ｂに対して位置決めするための蝶番位置決め用リブ４が上下方向Ｄに長寸をなすように突設されている。本例では、ドア枠２の内側面２ａの上下方向Ｄの全長に亘って同じ高さで突設されている。これにより、蝶番位置決め用リブ４の任意の高さ位置で蝶番２０の他方蝶片２２の前後方向Ｂへの位置決めが可能となっている。蝶番位置決め用リブ４は位置決め機能に加えて他方蝶片２２を上下方向Ｄにスライドさせて高さ位置を容易に決める機能も併せ持っている。さらに本例の蝶番位置決め用リブ４の突出高さｈは、化粧部材６の上に他方蝶片２２を取り付けたときに他方蝶片２２の表面と蝶番位置決め用リブ４の先端面４ａとが略面一となるように設定されている。
【００１６】
図２はドア本体１０の吊元側端部に蝶番２０の一方蝶片２１が固定され、ドア枠２の内側面２ａの任意の高さ位置に、蝶番２０の他方蝶片２２が上下方向Ｄに長寸をなす蝶番位置決め用リブ４により前後方向Ｂに位置決めされた状態でネジ、釘等の固着具２５で固着された状態を示している。なお図２中の１１はドア本体１０の外周枠、１２は面板、１３は補強材、１４は化粧板、１５はビス１６が螺着されるビス孔であり、２４は蝶番２０の軸ピンである。
【００１７】
次に、ラッチ側のドア枠２を説明する。このドア枠２の内側面２ａには、図９、図１０に示すように、ラッチ受具３１を収容する凹所５が上下方向Ｄに長寸をなすように凹設されていると共にこの凹所５全体を覆うようにしてドア枠２の内側面２ａの表面に化粧部材６Ａが被覆されている。この化粧部材６Ａは、現場でドア本体１０に装着されたラッチボルト３０と対向する任意の高さ位置で一部が切欠可能とされると共に、この切欠により開放された凹所５の一部にラッチ受具３１が収容可能とされるものである。さらにラッチ受具３１の外周フランジ３２が前記化粧部材６Ａの切欠部６ａ周辺の表面に当接した状態でネジ、釘等の固着具２３により化粧部材６Ａを介してドア枠２に固定されるようになっている。なお、ラッチボルト３０は、図１１に示すように、ドア本体１０の戸先側端部から外側に突出する方向に付勢されており、先端が三角状に形成されていて、ドア本体１０を閉じるとラッチボルト３０がドア枠２のラッチ受具３１の外周フランジ３２の表面を摺動してラッチ係合孔３３に係入され、ラッチボルト３０の内蔵ばね（図示せず）の力でラッチ受具３１内に押し込まれて、ドア本体１０が閉位置で施錠されるようになり、開錠レバー（図示せず）の操作で引き込むことでドア本体１０を開くことができるものである。
【００１８】
次に、リフォーム時における施工手順の一例を説明する。
【００１９】
先ず、建付け用開口部１の開口高さＥに合わせて、左右一対のドア枠２に設けた図５（ｂ）の切断除去部７を切断除去して、建付け用開口部１に建て込む。例えば、規格サイズ以外の建付け用開口部１に対しては、標準品のドア枠２を納品する。つまり、予め上下寸法が長いドア枠２を標準品として在庫しておき、現場で建付け用開口部１の開口高さＥに合わせて、ドア枠２の下部に設けた切断除去部７を所定寸法に切除する。切断除去部７の切断長さは建付け用開口部１の開口高さＥに応じて適宜変更自在である。
【００２０】
その後、このドア枠２の上下寸法及び開口巾寸法を採寸して、これに合ったサイズのドア本体１０を発注する。例えば、図４（ａ）〜（ｃ）に示すような異なるサイズのドア本体１０（１０,１０’,１０”）のうちのいずれか１種を選ぶ。このときドア本体１０（１０,１０’,１０”）のサイズに合わせて蝶番２０の取り付け高さ、ラッチボルト３０の高さが異なっており、これ合わせてドア枠２に対する他方蝶片２２の取り付け高さ、ラッチ受具３１の取り付け高さも調整する（図５（ｂ））。
【００２１】
先ず、ドア本体１０に一方蝶片２１が取り付けられた蝶番２０の他方蝶片２２を、蝶番２０側のドア枠２の内側面２ａに取り付ける。このとき、ドア枠２の内側面２ａの任意の高さ位置で、図１に示すように、上下方向Ｄに長寸をなす蝶番位置決め用リブ４を利用して他方蝶片２２を上下方向Ｄにスライドさせながら同時に他方蝶片２２の前後方向Ｂへの位置決めができる。このように他方蝶片２２を任意の高さ位置で前後方向に位置決めした状態で、図２に示すようにビス２５にて他方蝶片２２をドア枠２に対して固定する。なお戸当たり部材４４の取り付けは蝶番２０の取り付け後に行なう。
【００２２】
ところで蝶番２０には、ドア本体１０を固定する機能がないので、ドア本体１０の戸先側端部にラッチボルト３０を装着し、蝶番２０側と反対側のドア枠２の内側面２ａに設けた凹所５にラッチ受具３１を取り付け、ラッチボルト３０をラッチ受具３１に係合させることでドア本体１０を閉位置に固定できるようにする。ここでは、図９に示すように、ラッチ側のドア本体１０の内側面２ａに上下方向Ｄに長寸をなす凹所５が設けられていると共に、この凹所５は化粧部材６Ａで予め覆われた状態で現場に納品される。現場では、ドア本体１０に装着されているラッチボルト３０の高さに対向する任意の高さ位置で化粧部材６Ａの一部を切欠して、上下方向Ｄに長寸をなす凹所５の一部を開放し、この開放された凹所５の一部にラッチ受具３１を収容すると共に、図６、図７に示すように、ラッチ受具３１の外周フランジ３２を化粧部材６Ａの切欠部６ａ周辺の表面に当接させた状態で、ビス等の固着具２３を外周フランジ３２及び化粧部材６Ａを貫通してドア枠２に対して固定することにより、ドア本体１０の取り付け施工が完了する。
【００２３】
しかして、前記構成のようにドア枠２の内側面２ａの上下方向Ｄの全長にわたって蝶番位置決め用リブ４を上下方向Ｄに長寸をなすように突設させることによって、この蝶番位置決め用リブ４の任意の高さ位置で、蝶番２０の他方蝶片２２を前後方向Ｂに位置決めできるようになり、ドア枠２の内側面２ａへの取り付け作業を容易に行なうことができる。従って、ドア本体１０に合わせて蝶番２０の高さ調整だけでなく、前後方向Ｂの位置決めも現場で簡単に且つ精度よく行なうことができるので、従来のようなドア枠の内側面の凹部を形成し直したりすることなく、簡単な構造で蝶番２０の高さ変化に対応できるようになり、結果、蝶番２０の取り付け作業に手間取らず、施工効率が向上する。
【００２４】
また本例では、化粧部材６によりドア枠２の内側面２ａを表面化粧仕上げできると共に、他方蝶片２２の表面が蝶番位置決め用リブ４の先端面４ａと略面一に納まるので、他方蝶片２２と化粧部材６と蝶番位置決め用リブ４との外観上の納まりが良好となり、ドア枠２の外観向上をより一層図ることができる。
【００２５】
さらに本例では、規格サイズ以外の建付け用開口部１に対して、標準品のドア枠２を納品する。つまり、予め上下寸法が長いドア枠２を標準品として在庫しておき、現場で建付け用開口部１の開口高さＥに合わせて、ドア枠２の下部（或いは上部でもよい）に設けた切断除去部７を所定寸法に切除するだけで、標準サイズのドア枠２を共通使用できるようになる。従って、規格サイズ以外のドア枠２を複数種類準備する必要がなく、部品コストの削減及び在庫管理の簡素化を図ることができる。しかも現場で切断除去部７を切断除去するだけでよいので、ドア枠２の構造が複雑化せず且つ寸法調整作業も手間をかけることがない。
【図面の簡単な説明】
【００２６】
【図１】本発明の一実施形態の開き戸において、ドア枠に設けた蝶番位置決め用リブにより蝶番を前後方向に位置決めした状態を説明する斜視図である。
【図２】同上のドア本体の吊元側端部とドア枠とを蝶番を介して連繋した状態を説明する平面断面図である。
【図３】同上の開き戸を建付け用開口部に固定した状態の正面図である。
【図４】（ａ）（ｂ）（ｃ）は同上のサイズの異なるドア本体の一例を説明する一部省略正面図である。
【図５】（ａ）は同上の蝶番側のドア枠とラッチ側のドア枠とを説明する平面図であり、（ｂ）は（ａ）の蝶番側及びラッチ側のドア枠に取り付けられる他方蝶片、及びラッチ受具をそれぞれ示すと共に、両ドア枠の下部に設けた切断除去部を説明する正面図である。
【図６】（ａ）は同上のラッチ側のドア枠に取り付けられるラッチ受具を示す側面図、（ｂ）は正面図である。
【図７】同上のラッチ受具の取り付け状態を説明する側面断面図である。
【図８】図７のＡ部の拡大断面図である。
【図９】（ａ）は同上のラッチ側のドア枠の正面図、（ｂ）は側面断面図である。
【図１０】（ａ）は同上のラッチ側のドア枠に凹所を設けた木質芯材の正面図面図、（ｂ）は側面図である。
【図１１】同上のラッチ受具に対してドア本体のラッチボルトが係合した状態を説明する平面断面図である。
【符号の説明】
【００２７】
１  建付け用開口部
１ａ  縦辺部位内周
２  ドア枠
２ａ  内側面
３  開き戸
４  蝶番位置決め用リブ
７  切断除去部
１０  ドア本体
２０  蝶番
２１  一方蝶片
２２  他方蝶片
２５  固着具
Ｂ  前後方向
Ｄ  上下方向
Ｅ  開口高さ
【図１】
0005044378.tif 000002
【図２】
0005044378.tif 000003
【図３】
0005044378.tif 000004
【図４】
0005044378.tif 000005
【図５】
0005044378.tif 000006
【図６】
0005044378.tif 000007
【図７】
0005044378.tif 000008
【図８】
0005044378.tif 000009
【図９】
0005044378.tif 000010
【図１０】
0005044378.tif 000011
【図１１】
0005044378.tif 000012